(57)【要約】      （修正有）【課題】二つの収納部へ物品を手早く簡単に収納可能なスーツケースを提供する。【解決手段】全体略直方体の主収納部と、収納部の厚さ方向一方に全体略直方体の副収納部とを備えたスーツケースであって、主収納部と副収納部とを隔てる境界部に、主収納部および副収納部を連通可能に仕切るファスナーを有した面部を備えている。【選択図】図１
0003181470.tif 000002
【実用新案登録請求の範囲】
【請求項１】
全体略直方体の主収納部と、上記収納部の厚さ方向一方に配置され、全体略直方体の副収納部とを備えたスーツケースであって、上記主収納部と副収納部とを隔てる境界部に、上記主収納部および副収納部を連通可能に仕切る、ファスナー部を有した面部を備えていることを特徴とするスーツケース。
【請求項２】
上記主収納部は、ファスナー部により接合された一対の箱状ハーフと、一方の上記箱状ハーフの上面部に設けられたハンドル部と、上記一対の箱状ハーフの底面部に設けられた回転式車輪とを備え、一方の箱状ハーフの側面部には副収納部に連通する長方形状の開口部が設けられていることを特徴とする請求項１記載のスーツケース。
【請求項３】
上記副収納部は、上記一方の箱状ハーフに設けられた上記開口部を被覆可能に設けられた薄型箱状のカバー部材により形成され、上記面部は上記開口部を開閉可能に被覆しうる布部材により形成されていることを特徴とする請求項１記載のスーツケース。
【請求項４】
上記カバー部材は全体略直方体形状に形成され、上記一方の箱状ハーフに対して下端部に設けられた回動軸部を介して取り付けられると共に、上記開口部周縁に設けられたファスナー部により開閉可能に設けられ、上記布部材の互いに対抗する幅方向縁部と上記カバー部材との間には、上記カバー部材を開放する際にストッパーとして機能する一対のマチ部が設けられていることを特徴とする請求項３記載のスーツケース。
【請求項５】
上記マチ部は中間部において分離可能に形成されていると共に、上記布部材の副収納部側にはポケット部が設けられていることを特徴とする請求項４記載のスーツケース。
【考案の詳細な説明】
【技術分野】
【０００１】
本考案は、スーツケースに関する。
【背景技術】
【０００２】
従来より、主収納部が２枚の外層シェルからなるスーツケースであって、上記収納部の側面にさらに副収納部として上記主収納部よりも小型の収納部が設けられたスーツケースが知られている。（特許文献１）。
【０００３】
上記スーツケースは、外装シェルの少なくとも１つの主表面に桶形凹所を備え、上記桶形凹所には、少なくとも１つのポケットが基部プレートの上に固定されている。上記ポケットが、基部層を介して基部プレートの外向きの面に固定されることで、上記基部層は、上記基部プレートの周縁部で折り返され、上記基部プレートが、凹所が形成された外装シェルに装着された後に、上記基部プレートの周縁部は見えなくなるよう構成されている。
【０００４】
したがって、ポケットを堅固な方法でスーツケースに固定可能であり、かつスーツケースに視覚的、かつ魅力的な外観を与えることが可能になるよう構成されている。
【０００５】
このようなスーツケースによれば、手軽に利用することができるポケットを外側に有し、渡航文書または他の渡航用具などをスーツケース全体を開けずに手軽に利用できる形で保管することが可能である。
【特許文献１】特許第４３９０７１４号
【考案の開示】
【考案が解決しようとする課題】
【０００６】
しかしながら、上記のようなスーツケースでは、外層シェル、基部層、基部プレートなどの堅固な境界部を有しており、上記スーツケースに物品を収納する場合には、主収納部を開き物品を収納し、さらに副収納部を開き物品を収納するという具合に、複数回の動作を必要とする。
【０００７】
したがって、急な用事で物品の出し入れを急ぐ必要が生じた場合、上記のようなスーツケースでは、複数回の動作を行なわなければ物品の出し入れが不可能であり、物品の収納及び取り出しが煩雑であるという不具合があった。
【０００８】
本考案は、このような従来からの不具合を解決するためのものであって、その課題は、主収納部および副収納部を備えるスーツケースであって、主および副どちらの収納部を開き物品を収納する場合でも、両方の収納部へ物品を手早く簡単に収納可能なスーツケースを提供することにある。
【課題を解決するための手段】
【０００９】
上記課題達成のため、請求項１記載の考案にあっては、全体略直方体の主収納部と、上記収納部の厚さ方向一方に配置され、全体略直方体の副収納部とを備えたスーツケースであって、上記主収納部と副収納部とを隔てる境界部に、上記主収納部および副収納部を連通可能に仕切る、ファスナー部を有した面部を備えていることを特徴とする。
【００１０】
請求項２記載の考案にあっては、上記主収納部は、ファスナー部により接合された一対の箱状ハーフと、一方の上記箱状ハーフの上面部に設けられたハンドル部と、上記一対の箱状ハーフの底面部に設けられた回転式車輪とを備え、一方の箱状ハーフの側面部には副収納部に連通する長方形状の開口部が設けられていることを特徴とする。
【００１１】
請求項３記載の考案にあっては、上記副収納部は、上記一方の箱状ハーフに設けられた上記開口部を被覆可能に設けられた薄型箱状のカバー部材により形成され、上記面部は上記開口部を開閉可能に被覆しうる布部材により形成されていることを特徴とする。
【００１２】
請求項４記載の考案にあっては、上記カバー部材は全体略直方体形状に形成され、上記一方の箱状ハーフに対して下端部に設けられた回動軸部を介して取り付けられると共に、上記開口部周縁に設けられたファスナー部により開閉可能に設けられ、上記布部材の互いに対抗する幅方向縁部と上記カバー部材との間には、上記カバー部材を開放する際にストッパーとして機能する一対のマチ部が設けられていることを特徴とする。
【００１３】
請求項５記載の考案にあっては、上記マチ部は中間部において分離可能に形成されていると共に、上記布部材の副収納部側にはポケット部が設けられていることを特徴とする。
【考案の効果】
【００１４】
請求項１記載の考案にあっては、全体略直方体の主収納部と、上記収納部の厚さ方向一方に配置され、全体略直方体の副収納部とを備えたスーツケースであって、上記主収納部と副収納部とを隔てる境界部に、上記主収納部および副収納部を連通可能に仕切る、ファスナー部を有した面部を備えており、上記主収納部及び副収納部どちらか一方を開口して物品を出し入れする場合、上記主収納部及び副収納部は、両方の収納部が上記面部を隔て連通可能に構成されているため、どちらか一方のみを開口して物品を出し入れする動作を行なうだけで、上記両方の収納部どちらからでも物品の出し入れができる。
【００１５】
その結果、使用者が急ぎの用事で上記主及び副収納部から物品をすぐに取り出したい場合、主収納部又は副収納部のどちらに上記物品を収納したか忘れてしまったとしても、主収納部を開口して物品を取り出す、次に副収納部を開口して別の物品を取り出すという手間が無くなり、煩雑な作業を省いて、快適に物品の取り出しが可能なスーツケースを提供することができる。
【００１６】
請求項２記載の考案にあっては、上記主収納部は、ファスナー部により接合された一対の箱状ハーフと、一方の上記箱状ハーフの上面部に設けられたハンドル部と、上記一対の箱状ハーフの底面部に設けられた回転式車輪とを備え、一方の箱状ハーフの側面部には副収納部に連通する長方形状の開口部が設けられており、例えば、旅行などの準備の際、一対の箱状ハーフと、もう一方の上記主収納部と連通している副収納部の空間を有する箱状ハーフがあるため、多くの物品を収納でき、かつ副収納部の空間を効率良く利用した収納をすることもできる。
【００１７】
また、両方の収納部間で物品の出し入れが可能になるよう上記主収納部および副収納部を連通させうる開口部を有し、上記ハンドル部及び回転式車輪を備えた移動式スーツケースを提供することができる。
【００１８】
請求項３記載の考案にあっては、上記副収納部は、上記一方の箱状ハーフに設けられた上記開口部を被覆可能に設けられた薄型箱状のカバー部材により形成され、上記面部は上記開口部を開閉可能に被覆しうる布部材により形成されており、柔軟な布部材により上記開口部が被覆されていることから、物品を上記副収納部および一方の箱状ハーフどちらかに収納する場合であっても、上記布部材に物品が押し付けられて傷が付くということはなく、かつ上記布部材の有する柔軟性により物品の保護も可能となる。
【００１９】
請求項４記載の考案にあっては、上記カバー部材は全体略直方体形状に形成され、上記一方の箱状ハーフに対して下端部に設けられた回動軸部を介して取り付けられると共に、上記開口部周縁に設けられたファスナー部により開閉可能に設けられ、上記布部材の互いに対抗する幅方向縁部と上記カバー部材との間には一対のマチ部が設けられており、上記カバー部材を開口する場合、上記カバー部材は上記回動軸部、及び一対のマチ部がストッパーとして機能することから、カバー部材の上記回動軸部を中心とする開放角度が規制されるため、収納された物品の散乱を防ぐことができる。
【００２０】
請求項５記載の考案にあっては、上記マチ部は中間部において分離可能に形成されていると共に、上記布部材の副収納部側にはポケット部が設けられており、上記副収納部に物品を収納する場合、上記マチ部の中間部が分離可能なため、収納部が大きく開口するので、大きな物品の収納や急いでいる時の煩雑な収納作業も快適に行うことができる。
【００２１】
また、上記布部材の副収納部側にポケット部があることで、上記主収納部および副収納部を仕切る布部材というだけでなく、他の収納部に加えて、さらに物品を収納可能な構成になっているため、より収納力に優れたスーツケースを提供することができる。
【図面の簡単な説明】
【００２２】
【図１】本考案に係るスーツケース全体における一実施の形態を示す斜視図である。
【図２】本考案に係るスーツケースの主収納部における一実施の形態を示す平面図である
【図３】本考案に係るスーツケースの副収納部における一実施の形態を示す斜視図である
【図４】本考案に係るスーツケースの副収納部における一実施の形態を示す平面図である
【考案を実施するための最良の形態】
【００２３】
以下、添付図面に示す実施の形態に基づき、本考案を詳細に説明する。
【００２４】
図１乃至４に示すように、本実施の形態に係るスーツケース１０は、全体略直方体の主収納部１１と上記収納部１１の厚さ方向一方に配置され、全体略直方体の副収納部１２とを備えたスーツケース１０であって、上記主収納部１１と副収納部１２とを隔てる境界部１３に、上記主収納部１１および副収納部１２を連通可能に仕切る、ファスナー部１４を有した面部１５を備えている。
【００２５】
図１、図２及び図３に示すように、上記主収納部１１は、ファスナー部１６により接合された一対の箱状ハーフ１７a、１７bと、一方の上記箱状ハーフ１７bの上面部１８に設けられたハンドル部１９と、上記一対の箱状ハーフ１７a、１７bの底面部２０に設けられた回転式車輪２１、２１、２１、２１とを備え、一方の箱状ハーフ１７aの側面部２２には副収納部１２に連通する長方形状の開口部２３が設けられている。
【００２６】
図３乃至４に示すように、上記副収納部１２は、上記一方の箱状ハーフ１７aに設けられた上記開口部２３を被覆可能に設けられた薄型箱状のカバー部材２４により形成され、上記面部１５は上記開口部２３を開閉可能に被覆しうる布部材１５により形成されている。
【００２７】
また、図３乃至４に示すように、上記カバー部材２４は全体略直方体形状に形成され、上記一方の箱状ハーフ１７aに対して下端部２５に設けられた回動軸部２６を介して取り付けられると共に、上記開口部２３周縁に設けられたファスナー部１４により開閉可能に設けられ、上記布部材の互いに対抗する幅方向縁部２７、２７と上記カバー部材２４との間には、上記カバー部材２４を開放する際にストッパーとして機能する一対のマチ部２８、２８が設けられている。
【００２８】
また、図３乃至４に示すように、上記マチ部２８、２８は中間部２９、２９において分離可能に形成されていると共に、布部材１５の副収納部１２側にはポケット部３０が設けられている。
【実施例１】
【００２９】
以下に、図面を用いて本実施例１について詳細を説明する。
【００３０】
図１乃至４に示すように、本実施の形態に係るスーツケース１０は、全体略縦長直方体の主収納部１１と上記収納部１１の厚さ方向一方に配置され、全体略縦長直方体の副収納部１２とを備えたスーツケース１０であって、上記主収納部１１と副収納部１２とを隔てる境界部１３に、上記主収納部１１および副収納部１２を連通可能に仕切るファスナー部１４を有した全体略長方形状の布部材１５を備えている。
【００３１】
図１及び図３に示すように、上記主収納部１１は、一方の箱状ハーフ１７bの上面部１８に設けられた主収納部１１の長さ方向に沿って上下に出し入れ可能なハンドル部１９と、長さ方向に沿って設けられ、長さ方向、かつ幅方向の中央に設けられた取手部３１、及び一方の箱状ハーフ１７bの幅方向一端面部３２にファスナー用ロック部材３３が設けられている。
【００３２】
図２に示すように、一対の箱状ハーフ１７a、１７bの内部３４、３４は、一方の箱状ハーフ１７bの内部３４、３４に物品の散乱防止のための一対の交差する長方形状のベルト部３５、３５を有し、一対の箱状ハーフ１７a、１７bには、内部３４、３４の略全体を被覆するように２つの長方形状のフラップ部３６、３６が設けられている。
【００３３】
上記フラップ部３６、３６は、幅方向一端部３７、３７の夫々に２箇所ずつ設けられた４つの留め具３８、３８、３８、３８を有し、留め具３８、３８、３８、３８は、一対の箱状ハーフ１７a、１７bの内部３４、３４であって、一対の箱状ハーフ１７a、１７bの幅方向一端部３９、３９夫々に２箇所ずつ設けられた４つの留め具４０、４０、４０、４０と着脱可能に係止されるよう構成されている。
【００３４】
図３及び図４に示すように、上記副収納部１２は、一方の箱状ハーフ１７aに設けられた開口部２３と、開口部２３を被覆可能に設けられたファスナー部４１を有する薄型箱状のカバー部材２４により形成され、開口部２３を開閉可能に被覆しうる布部材１５により形成されている。
【００３５】
上記カバー部材２４は、全体略直方体形状に形成され、一方の箱状ハーフ１７aに対して下端部２５に設けられた回動軸部２６を介して取り付けられると共に、開口部２３周縁に設けられたファスナー部１４により開閉可能に設けられ、上記布部材の互いに対抗する幅方向縁部２７、２７と上記カバー部材２４との間には、上記カバー部材２４を開放する際にストッパーとして機能する一対のマチ部２８、２８が設けられている。
【００３６】
上記一対のマチ部２８、２８は、側面略逆三角形状に形成され、中間部２９、２９にカバー部材２４の長さ方向に沿って設けられた長方形状の面ファスナー４２、４２により分離可能に形成されていると共に、布部材１５の副収納部１２側には、上方に開口する長方形状のポケット部３０が設けられている。
【００３７】
また、図３乃至４に示すように、布部材１５の副収納部１２側には、ポケット部３０が設けられ、幅方向上端で、かつ長さ方向両側に設けられた、長方形状からなる一対のベルト部４３、４３と、幅方向上端部４４であって、かつ長さ方向中央には、長方形状の面ファスナー４５とを備えている。
【００３８】
また、図３乃至４に示すように、一方の箱状ハーフ１７aの開口部２３の上縁部には、幅方向中央であって、布部材１５の長さ方向に沿って垂下する、面ファスナー４６を有する長方形状のフラップ部４７を有し、面ファスナー４５と面ファスナー４６は着脱可能に係止されるよう構成されている。
【００３９】
以下、本実施の形態に係るスーツケース１０の作用及び効果について説明する。
【００４０】
スーツケース１０は、主収納部１１および副収納部１２との間に形成された開口部２３を開閉可能に被覆しうるファスナー部１４を有した布部材１５を備えており、主収納部１１および副収納部１２どちらか一方を開口して物品を出し入れする場合、主収納部１１および副収納部１２は、両方の収納部が布部材１５を隔て連通可能に構成されているため、どちらか一方のみを開口して物品を出し入れする動作を行なうだけで、上記両方の収納部どちらからでも物品の出し入れができる。
【００４１】
その結果、使用者が急ぎの用事で主収納部１１および副収納部１２から物品をすぐに取り出したい場合、主収納部１１又は副収納部１２のどちらに上記物品を収納したか忘れてしまったとしても、主収納部１１を開口して物品を取り出す、次に副収納部１２を開口して別の物品を取り出すという手間が無くなり、煩雑な作業を省いて、快適に物品の取り出しが可能なスーツケース１０を提供することができる。
【００４２】
スーツケース１０は、ハンドル部１９および回転式車輪２１、２１、２１、２１を有しているため、通常のスーツケースとして物品の収納および持ち運びが可能であるが、持ち運びの移動中に収納物を取り出す場合、スーツケース１０が直立状態であっても、回動開閉する副収納部１２があることで、主収納部１１を平面と平行に開口せずに、副収納部１２から希望する収納物を出し入れすることができる。
【００４３】
また、主収納部および副収納部１２両方の収納部が開口部２３により連通可能に構成されているため、スーツケース１０が直立状態であっても、副収納部１２から主収納部１１の物品の出し入れをすることができる。
【００４４】
スーツケース１０の一対の箱状ハーフ１７a、１７bの内部３４、３４から収納物を出し入れする場合、副収納部１２側にある開口部２３により、スーツケース１０が直立状態であっても、主収納部１１を開口することなく、物品の散乱防止のための一対の交差する長方形状のベルト部３５、３５から物品を出し入れすることができる。
【００４５】
また、副収納部１２側にある開口部２３により、一対の箱状ハーフ１７a、１７bの内部３４、３４に設けられている２つの長方形状のフラップ部３６、３６を回動させてできた収納空間に、物品を出し入れすることができる。
【００４６】
さらに、副収納部１２側にある開口部２３により、フラップ部３６、３６が着脱可能に係止されるよう４つの留め具３８、３８、３８、３８、および内部３４、３４の４つの留め具４０、４０、４０、４０を着脱して物品の出し入れをすることもできる。
【００４７】
スーツケース１０の副収納部１２は、開口部２３を被覆可能に設けられた薄型箱状のカバー部材２４により形成され、かつ開口部２３を開閉可能に被覆しうる布部材１５により形成されているため、物品を副収納部１２および一方の箱状ハーフ１７aのどちらかに収納する場合であっても、布部材１５の柔軟性により、物品が押し付けられて傷が付くということはなく、かつ布部材１５の有する柔軟性により物品の保護も可能となる。
【００４８】
また、上記薄型箱状のカバー部材２４、および上記一方箱状ハーフ１７a、１７bが受けた外側からの衝撃にも、布部材１５による物品の保護効果が期待できるため、主収納部１１および副収納部１２のどちらの収納された物品も傷が付くことなく保護することができる。
【００４９】
上記布部材１５の互いに対抗する幅方向縁部２７、２７とカバー部材２４との間には一対のマチ部２８、２８が設けられており、カバー部材２４を開口する場合、カバー部材２４は回動軸部２６、および一対のマチ部２８、２８がストッパーとして機能することから、カバー部材２４の回動軸部２６を中心とする開放角度が規制されるため、急開放の状況になった場合でも、収納された物品の散乱を防ぐことができる。
【００５０】
上記一対のマチ部２８、２８は、中間部２９、２９において分離可能に形成されていると共に、布部材１５の副収納部１２側にはポケット部３０が設けられており、副収納部１２に物品を収納する場合、一対のマチ部２８、２８の中間部２９、２９が分離可能なため、収納部が大きく開口するので、大きな物品の収納や急いでいる時の煩雑な収納作業も快適に行うことができる。
【００５１】
上記布部材１５の副収納部１２側にポケット部３０があることで、布部材１５は、主収納部１１および副収納部１２を仕切る役割だけでなく、他の収納部に加えてさらに物品を収納可能な構成になっているため、より収納力に優れたスーツケースを提供することができる。
【００５２】
上記ポケット部３０は、ポケット部３０の面ファスナー４５、および一方の箱状ハーフ１７aの面ファスナー４６を有する長方形状のフラップ部４７を有し着脱可能に係止されるよう構成されていることで、スーツケース１０が大きく斜傾された状態や急速移動した場合であっても、ポケット部３０に収納された物品が散乱することなく保護することができる。
【産業上の利用可能性】
【００５３】
本考案に係るスーツケースは、スーツケースに広く適用することができるため、産業上の利用可能性を備えている。
【符号の説明】
【００５４】
１０ スーツケース
１１ 主収納部
１２ 副収納部
１３ 境界部
１４ ファスナー部
１５ 面部（布部材）
１６ ファスナー部
１７a 箱状ハーフ
１７b 箱状ハーフ
１８ 上面部
１９ ハンドル部
２０ 底面部
２１ 回転式車輪
２２ 側面部
２３ 開口部
２４ カバー部材
２５ 下端部
２６ 回動軸部
２７ 幅方向縁部
２８ マチ部
２９ 中間部
３０ ポケット部
３１ 取手部
３２ 幅方向一端面部
３３ ファスナー用ロック部材
３４ 内部
３５ ベルト部
３６ フラップ部
３７ 幅方向一端部
３８ 留め具
３９ 幅方向一端部
４０ 留め具
４１ ファスナー部
４２ 面ファスナー
４３ ベルト部
４４ 幅方向上端部
４５ 面ファスナー
４６ 面ファスナー
４７ フラップ部
【図１】
0003181470.tif 000003
【図２】
0003181470.tif 000004
【図３】
0003181470.tif 000005
【図４】
0003181470.tif 000006